Podtech/llm-jp-corpus-v4-ja_patent huggingface dataset:
【手続補正書】
【提出日】平成27年3月13日(2015.3.13)
【手続補正１】
【補正対象書類名】明細書
【補正対象項目名】０００８
【補正方法】変更
【補正の内容】
【０００８】
本発明の目的は、添付の特許請求の範囲によるアーム構造により達成される。本発明およびその種々の実施形態により、アーム構造を通って経路を定められている配線が、異なる状態に曲がるケーブルにより誘発される力の影響を繰り返し受けない。他方、アーム構造の内部に配置されるケーブルおよび平衡ばねは、これらの保守方策のためにアーム構造を全体として分解する必要がないので設備し易く、必要な場合、交換もし易い。アーム構造は、ほとんどまたは完全に同一のアーム部分により実装することができ、使用される構成要素の数を増やす必要がなく、全体的構造は覆われて実装することができ、それによりその洗浄が容易になる。アーム構造は、好ましくは、口腔内Ｘ線装置の線源を少なくとも高さ位置調整可能に支持するよう配置されており、すなわち、アーム部分間の旋回軸が水平となっている構造を有する。アーム構造は全体として、アーム構造の移動範囲を拡大するように水平アームに取り付けることができる。
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
弱く結合した結晶性材料を基板上に提供する方法であって、第１の弱く結合した結晶性材料の、第１の単一の個別の原子の乾燥した層の少なくとも一部を、基板の表面上に転写することを含み、転写することが、前記弱く結合した結晶性材料で前記基板をこすることを含む、方法。
【請求項２】
基板の少なくとも１つの表面上に、第１の弱く結合した結晶性材料の、第１の個別の単一の原子の乾燥した層を有し、前記基板の表面上に転写された前記第１の弱く結合した結晶性材料が、Ｘ軸及びＹ軸の両方に整列した異なる寸法を有する印刷されたパターンを示す、物品。
【請求項３】
乾燥状態の弱く結合した結晶性材料を有する印刷表面を有する第１の印刷ヘッドを備えるプリンターであって、前記プリンターがＸ軸、Ｙ軸、及びＺ軸のそれぞれに沿って印刷表面を動かすように設定されている、プリンター。
【誤訳訂正書】
【提出日】平成27年2月25日(2015.2.25)
【誤訳訂正１】
【訂正対象書類名】特許請求の範囲
【訂正対象項目名】全文
【訂正方法】変更
【訂正の内容】
【特許請求の範囲】
【請求項１】
少なくとも第１の加熱面（１）と第２の加熱面（２）とを備えた、シート（６）の加熱装置（３）であって、
前記第１の加熱面および第２の加熱面（１、２）は、第１の加熱面および第２の加熱面（１、２）が互いに重なるように配置され、第１の加熱面と第２の加熱面（１、２）との間に少なくとも二つのガイドエレメント（４）が配置され、第１の加熱面および／または第２の加熱面（１、２）の少なくとも一端は尖形状である、加熱装置（３）。
【請求項２】
少なくとも一つのガイドエレメント（４）は、前記第１の加熱面および／または第２の加熱面（１、２）の全長にわたる、請求項１に記載の加熱装置（３）。
【請求項３】
前記第１の加熱面（１）および／または前記第２の加熱面（２）は、平坦面を有する、請求項１または２に記載の加熱装置（３）。
【請求項４】
少なくとも一つのガイドエレメント（４）は加熱可能である、請求項１から３いずれか記載の加熱装置（３）。
【請求項５】
前記第１の加熱面（１）は、異なった部分の温度差が、加熱面（１）の幅にわたって、０．５〜６℃より小さい、請求項１から４いずれか記載の加熱装置（３）。
【請求項６】
前記第１の加熱面（１）は、異なった部分の温度差が、前記加熱面（１）の長さにわたって、０．５〜６℃より小さい、請求項１から５いずれか記載の加熱装置（３）。
【請求項７】
前記第２の加熱面（２）は、異なった部分の温度差が、０．５〜６℃より小さい、請求項１から６いずれか記載の加熱装置（３）。
【請求項８】
前記第１の加熱面（１）と前記第２の加熱面（２）との温度差は、０．５〜６℃より小さい、請求項１から７いずれか記載の加熱装置（３）。
【請求項９】
前記加熱装置（３）内では、大気圧、重力、および張力のみがシート（６）に作用する、請求項１から８いずれか記載の加熱装置（３）。
【請求項１０】
請求項１に記載の加熱装置（３）を備えるシートの製造装置であって、
前記製造装置は、一対のカレンダーロール（５）を備え、
前記第１の加熱面および／または第２の加熱面（１、２）は、前記尖形状が前記カレンダーロール（５）に対向するよう配置される、製造装置。
【請求項１１】
前記尖形状の端部と前記カレンダーロール（５）との距離は、前記カレンダーロールの直径の２〜１０％である、請求項１０に記載の製造装置。
【誤訳訂正２】
【訂正対象書類名】明細書
【訂正対象項目名】００１０
【訂正方法】変更
【訂正の内容】
【００１０】
好ましくは、少なくとも一つのガイドエレメントは、第１および／または第２の加熱面の少なくとも一つの寸法全体にわたる。ここで、ガイドエレメントが少なくとも一つの寸法全体にわたるとは、ガイドエレメントが、少なくとも一方の加熱面の全長にわたる場合、または少なくとも一方の加熱面の全幅にわたる場合を意味する。ガイドエレメントの両方が、両方の加熱面の全長（好ましくは同じ長さを有する）にわたることが好ましい。
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
切削インサート（１８）であって、
反対側にあるインサート前端およびインサート後端（６７、６９）と、
反対側にある第１の主要面および第２の主要面（６０、６２）、ならびにその間に延びる２つの側面（６４）と、
それぞれがそれぞれの側面（６４）上に位置する２つの側方当接面（６６）と、
前記インサート前端（６７）に形成されて、前記第１の主要面および第２の主要面（６０、６２）の間、ならびに前記側面（６４）同士の間に延びる、インサート前面（６８）と、
前記第２の主要面（６２）、および／または前記インサート前面（６８）に開口している締付け凹部（８２）と
を備え、
前記２つの側方当接面（６６）は、前記第１の主要面（６０）に向かって収束し、前記２つの側面（６４）は前記インサート前面（６８）から離れる方向に収束し、前記第１の主要面（６０）は、縁部において前記前面（６８）および前記側面（６４）と一体となり、その縁部の少なくとも一部分は切れ刃（８０）を含み、
前記締付け凹部（８２）は、前記インサート前端（６７）に対向する、インサート締付け面（８６）を含み、前記締付け凹部（８２）は、前記切削インサートの厚さ方向において、前記第１の面と第２の面（６０、６２）の中間に位置する、中央面（Ｐ）を超えて延びないことを特徴とする切削インサート。
【請求項２】
前記締付け凹部（８２）は、非円形開口（８３）において、前記第２の主要面（６２）および／または前記インサート前面（６８）に開口していることを特徴とする請求項１に記載の切削インサート（１８）。
【請求項３】
前記中央面（Ｐ）に垂直な方向において、前記インサート締付け面（８６）は長さが（Ｌ）であり、切削インサート（１８）の最大厚さは（Ｔ）であって、前記長さＬは、前記切削インサート（１８）の最大厚さ（Ｔ）の１０％から４５％の範囲であることを特徴とする請求項１または２に記載の切削インサート（１８）。
【請求項４】
前記切削インサート（１８）に貫通穴がないこと、及び／又は、前記インサート締付け面（８６）が前記第２の主要面（６２）に垂直であることを特徴とする請求項１に記載の切削インサート（１８）。
【請求項５】
前記締付け凹部（１８）は、インサート締付け面（８６）の反対側に位置するとともに、前記インサート後端（６９）に向かって対面する、インサート当接面（８４）を備えること、及び好ましくは、前記締付け凹部（８２）が、前記第２の主要面（６２）だけに開口し、前記インサート前面（６８）に開口しないことを特徴とする請求項１に記載の切削インサート（１８）。
【請求項６】
インサートポケット（１６）と、
ヘッド締付け面（４４）を有するヘッド（４２）を含む、締付け部材（２０）と
を備えるホルダ（１４）であって、
前記インサートポケット（１６）は、
インサートポケット前端（２７）およびインサートポケット後端（２９）と、
前記インサートポケット前端（２７）に位置するインサートポケット前面（２２）と、
前記インサートポケット前面（２２）から、後方に、前記インサートポケット後端（２９）に向かって延びるインサート支持面（２４）と、
前記インサート支持面（２４）からインサートポケット上面（２８）に、上方に、前記インサート支持面（２４）から離れて延びる２つの支持壁（２６）であって、上方および後方において収束する支持壁（２６）と、
前記インサート支持面（２４）および前記インサートポケット前面（２２）に開口するハウジング（３０）であって、前記インサート支持面（２４）から下方に延びるハウジング壁（３２）、および前記ハウジング壁（３２）から前記インサートポケット前面（２２）に延びるハウジング周面（３４）を含むハウジング（３０）と、
前記ハウジング壁（３２）へ開口するボア（３８）であって、縦方向ボア軸（Ｂ）を有するボア（３８）と
を備え、
前記締付け部材が前記ハウジング（３０）内に位置するときには、前記ヘッド締付け面（４４）の露出された締付け面（５２）が、前記インサート支持面（２４）の上方に突出することを特徴とするホルダ。
【請求項７】
前記インサートポケット（１６）が切削インサートを締め付けるためにだけ構成されていることを特徴とする請求項６に記載のホルダ（１４）。
【請求項８】
前記締付け部材（２０）がネジであることを特徴とする請求項６または７に記載のホルダ（１４）。
【請求項９】
前記縦方向ボア軸（Ｂ）が前記インサート支持面（２４）に平行であることを特徴とする請求項６に記載のホルダ（１４）。
【請求項１０】
前記ハウジング周面（３４）が、その長さに沿って延びる、複数のレール形ヘッド支持面（３６）を含むことを特徴とする請求項６に記載のホルダ（１４）。
【請求項１１】
前記ホルダ（１４）が、前記ヘッド（４２）と前記ハウジング壁（３２）の間に位置する、ワッシャ（５４）を備えること、及び好ましくは、前記ワッシャ（５４）は、ワッシャネジ山（５８）を備えるとともに、前記ワッシャ（５４）は、前記締付け部材（２０）にネジ込み式で固定されていることを特徴とする請求項６に記載のホルダ（１４）。
【請求項１２】
請求項６に記載のホルダ（１４）、および前記ホルダ（１４）のインサートポケット（１６）内に確実に締め付けられた、請求項１に記載の切削インサート（１８）を備えることを特徴とする切削工具（１２）。
【請求項１３】
切削工具（１２）の組立位置において、
前記第２の主要面（６２）が前記インサート支持面（２４）に当接し、
各側方当接面（６６）がそれぞれの支持壁（２６）に当接し、
前記ヘッド（４２）の露出されたヘッド部分（５０）が、前記締付け凹部（８２）によって収容され、
前記ヘッド締付け面（４４）の前記露出された締付け面（５２）は、前記インサート締付け面（８６）に当接することを特徴とする請求項１２に記載の切削工具（１２）。
【請求項１４】
切削工具（１２）の組立位置において、
前記第２の主要面（６２）が前記インサート支持面（２４）に当接し、
各側方当接面（６６）が、それぞれの支持壁（２６）に当接し、
前記ヘッド（４２）の露出されたヘッド部分（５０）が、前記締付け凹部（８２）によって収容され、
ワッシャ（５４）が前記締付け部材（２０）のネジ切り部分（４０）に装着され、
前記ヘッド締付け面（４４）の前記露出された締付け面（５２）が、前記ワッシャ（５４）に当接し、次いで前記ワッシャ（５４）が、前記インサート締付け面（８６）に当接することを特徴とする請求項１２または１３に記載の切削工具（１２）。
【請求項１５】
前記切削インサート（１８）が前記インサートポケット（１６）内に据えられているとき、前記切削インサート（１８）のインサート後面（７０）が、前記インサートポケット（１６）のいずれの部分とも接触しないことを特徴とする請求項１２に記載の切削工具（１２）。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
表面特徴部をそれぞれ有する複数の成形セラミック研磨粒子を含む、被覆された研磨物品であって、
前記複数の成形セラミック研磨粒子が、研磨層を形成する樹脂性接着剤を含むメークコートによって可撓性裏材に付着し、
前記表面特徴部が、特定のｚ方向の回転配向を有し、
前記特定のｚ方向の回転配向が、前記表面特徴部のランダムなｚ方向の回転配向によって生ずるよりも頻繁に前記研磨層で生じる、被覆された研磨物品。
【請求項２】
少なくとも５０％の前記成形セラミック研磨粒子が、前記特定のｚ方向の回転配向を有する、請求項１に記載の被覆された研磨物品。
【請求項３】
前記成形セラミック研磨粒子が、２つの対向する実質的に平坦な表面を有するプレートを含む、請求項１又は２に記載の被覆された研磨物品。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
少なくとも１つのアンチトロンビン活性化物質と、少なくとも１つのトロンビン阻害物質と、成体肝臓前駆細胞および肝臓筋線維芽細胞からなる群から選択される細胞とを含み、
- 前記アンチトロンビン活性化物質が、ヘパリン、未分画ヘパリン、低分子量ヘパリンおよびフォンダパリヌクスからなる群から選択され；かつ
- 前記トロンビン阻害物質が、ビバリルジンおよびヒルジンからなる群から選択される、
組み合わせ。
【請求項２】
前記成体肝臓前駆細胞が、アルファ平滑筋アクチン(ASMA)およびアルブミン(ALB)を発現し、サイトケラチン-19(CK-19)を発現しない成体肝臓由来の前駆もしくは幹細胞であるか、または、肝細胞マーカーを発現し、成熟肝臓細胞、インスリン生成細胞、骨原性細胞および上皮細胞に分化できる非卵形成体ヒト肝臓由来多能性前駆細胞である、請求項１に記載の組み合わせ。
【請求項３】
前記細胞、少なくとも１つのアンチトロンビン活性化物質および少なくとも１つのトロンビン阻害物質の対象者への別々、同時または任意の順序での逐次的な投与のために構成された請求項１または２に記載の組み合わせ。
【請求項４】
アンチトロンビン活性化物質が、未分画ヘパリンである請求項１〜３のいずれか１項に記載の組み合わせ。
【請求項５】
トロンビン阻害物質が、ビバリルジンである請求項１〜４のいずれか１項に記載の組み合わせ。
【請求項６】
請求項１〜５のいずれか１項に記載の組み合わせと、１つ以上の医薬的に許容できる賦形剤とを含む医薬組成物。
【請求項７】
医薬品として用いるための請求項１〜５のいずれか１項に記載の組み合わせまたは請求項６に記載の医薬組成物。
【請求項８】
細胞の移植において用いるため、または前記細胞の移植により引き起こされる血栓症もしくは血栓性合併症の処置において用いるため、または前記細胞の凝固促進活性のインビボでの阻害において用いるための、請求項１〜５のいずれか１項に記載の組み合わせまたは請求項６に記載の医薬組成物。
【請求項９】
アンチトロンビン活性化物質が、約５〜15 UI/ml、好ましくは約８〜12 UI/ml、より好ましくは約10 UI/mlを含む細胞懸濁物により、または約10〜30 UI/kg/hr、好ましくは約15〜25 UI/kg/hr、より好ましくは約20 UI/kg/hrにて静脈内投与により対象者に投与される未分画ヘパリンであり、かつ/あるいはトロンビン阻害物質が、それぞれ約0.50〜約3.00 mg/kg体重もしくは約0.2〜0.6 mg/kg体重で対象者に投与されるビバリルジンである、請求項７または８に記載の使用のための組み合わせまたは医薬組成物。
【請求項１０】
(a) 少なくとも１つのアンチトロンビン活性化物質を含有する水溶液中に、細胞の細胞懸濁物を含む組成物が調製され、(b) 少なくとも１つのトロンビン阻害物質を含有する水溶液が調製され、(c) (a)で規定される組成物と、(b)で規定される溶液とが、同時、別々または逐次的に対象者に投与される、請求項７または８に記載の使用のための組み合わせまたは医薬組成物。
【請求項１１】
成体肝臓前駆細胞および肝臓筋線維芽細胞からなる群から選択される細胞と、少なくとも１つのアンチトロンビン活性化物質と、少なくとも１つのトロンビン阻害物質とを含む組み合わせを提供することを含み、
- 前記アンチトロンビン活性化物質が、ヘパリン、未分画ヘパリン、低分子量ヘパリンおよびフォンダパリヌクスからなる群から選択され；かつ
- 前記トロンビン阻害物質が、ビバリルジンおよびヒルジンからなる群から選択される、
前記細胞の凝固促進活性をインビトロで阻害する方法。
【請求項１２】
請求項１〜５のいずれか１項に記載の組み合わせと、場合によって１つ以上の医薬的に許容できる賦形剤とを含む部品キットまたは製品。
【請求項１３】
成体肝臓前駆細胞および肝臓筋線維芽細胞からなる群から選択される細胞の移植において用いるため、または前記細胞の移植により引き起こされる血栓症または血栓性合併症の処置において用いるため、またはインビボでの前記細胞の凝固促進活性の阻害において用いるための、少なくとも１つのアンチトロンビン活性化物質と、少なくとも１つのトロンビン阻害物質とを含み、
- 前記アンチトロンビン活性化物質が、ヘパリン、未分画ヘパリン、低分子量ヘパリンおよびフォンダパリヌクスからなる群から選択され；かつ
- 前記トロンビン阻害物質が、ビバリルジンおよびヒルジンからなる群から選択される、
組み合わせ、または前記組み合わせと、１つ以上の医薬的に許容できる賦形剤とを含む医薬組成物。
【請求項１４】
請求項２〜６、９および10のいずれか１項で規定される１以上の特徴をさらに含む請求項13に記載の使用のための組み合わせまたは医薬組成物。
【請求項１５】
成体肝臓前駆細胞および肝臓筋線維芽細胞からなる群から選択される細胞を、少なくとも１つのアンチトロンビン活性化物質と、少なくとも１つのトロンビン阻害物質とを含む組み合わせと接触させることを含み、
- 前記アンチトロンビン活性化物質が、ヘパリン、未分画ヘパリン、低分子量ヘパリンおよびフォンダパリヌクスからなる群から選択され；かつ
- 前記トロンビン阻害物質が、ビバリルジンおよびヒルジンからなる群から選択される、
前記細胞の凝固促進活性をインビトロで阻害する方法。
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
多発性硬化症の処置を伴うインフルエンザ様症状の重症度を軽減する方法であって、インターフェロンβ１ａを患者に週１回筋肉内投与することを含み、処置は、前記インターフェロンが、１週目に用量約７．５マイクログラム、２週目に用量約１５マイクログラム、３週目に用量約２２．５マイクログラム、および４週目以降に用量約３０マイクログラムで投与される用量調節期間から開始する方法。
【請求項２】
前記インフルエンザ様症状は、発熱、筋痛、悪寒、発汗、疲労、頭痛および倦怠感を含む、請求項１に記載の方法。
【請求項３】
一定の期間にわたりインターフェロンの薬用量を変化させるレジメンのコンプライアンスを可能にするための用量調節パッケージであって、前記パッケージはインターフェロン、前記インターフェロンの送達装置、および用量調節期間中に患者が前記インターフェロンを筋肉内投与するための指示書を含み、前記インターフェロンは１週目に４分の１用量、２週目に２分の１用量、３週目に４分の３用量、および４週目に規定の治療有効用量で投与される、用量調節パッケージ。
【請求項４】
前記指示書は約７．５マイクログラムの１週目の薬用量、約１５マイクログラムの２週目の薬用量、約２２．５マイクログラムの３週目の薬用量、および約３０マイクログラムの４週目の薬用量を記載する、請求項３に記載の用量調節パッケージ。
【請求項５】
前記インターフェロンはバイアル中に凍結乾燥形態で提供される、請求項３に記載の用量調節パッケージ。
【請求項６】
バイアルアダプターと、前記凍結乾燥インターフェロンの希釈液を予め充填したシリンジとをさらに含む、請求項５に記載の用量調節パッケージ。
【請求項７】
前記インターフェロンは液体製剤で提供される、請求項３に記載の用量調節パッケージ。
【請求項８】
前記インターフェロン液体製剤はプレフィルドシリンジで提供される、請求項７に記載の用量調節パッケージ。
【請求項９】
前記プレフィルドシリンジは１〜４週目の正確な薬用量が充填されている、請求項８に記載の用量調節パッケージ。
【請求項１０】
前記送達装置は自動注射器を含む、請求項３に記載の用量調節パッケージ。
【請求項１１】
前記送達装置は針を含まない、請求項３に記載の用量調節パッケージ。
【請求項１２】
前記送達装置はペンである、請求項３に記載の用量調節パッケージ。
【請求項１３】
針刺し予防装置をさらに含む、請求項３に記載の用量調節パッケージ。
【請求項１４】
前記針刺し予防装置は針シールドを含む、請求項１３に記載の用量調節パッケージ。
【請求項１５】
前記シールドは前記患者による手作業で作動される、請求項１４に記載の用量調節パッケージ。
【請求項１６】
前記シールドは自動化されている、請求項１４に記載の用量調節パッケージ。
【請求項１７】
前記自動シールドは前記患者により作動される、請求項１６に記載の用量調節パッケージ。
【請求項１８】
前記針は前記患者による一切の行為なしに自動的に遮蔽される、請求項１６に記載の用量調節パッケージ。
【請求項１９】
前記針は前記患者による一切の行為なしに遮蔽される、請求項１６に記載の用量調節パッケージ。
【請求項２０】
前記パッケージは用量制限用量調節装置をさらに含む、請求項３に記載の用量調節パッケージ。
【請求項２１】
鎮痛薬もしくは抗炎症剤またはこれらの混合物の投与をさらに含む、請求項１に記載の方法。
【請求項２２】
前記薬剤はステロイドである、請求項２１に記載の方法。
【請求項２３】
前記薬剤は非ステロイド系抗炎症薬である、請求項２１に記載の方法。
【請求項２４】
前記薬剤はアセトアミノフェンである、請求項２１に記載の方法。
【請求項２５】
前記薬剤はイブプロフェンである、請求項２１に記載の方法。
【請求項２６】
前記インフルエンザ様症状が注射後４〜６時間で少なくとも４０％低下する、請求項１に記載の方法。
【請求項２７】
前記インフルエンザ様症状が注射後１２〜１５時間で少なくとも１０パーセント低下する、請求項１に記載の方法。
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
放射性標識アルデヒド（Ｉ）をアミノオキシ（ＩＩ）とアニリン（ＩＩＩ）の存在下で反応させてイミン−オキシ（ＩＶ）を形成する工程を含む、放射性安定化方法。
【化１】
2014508126.tif 000001
【請求項２】
前記放射性標識アルデヒド（Ｉ）が次式（ＶＩＩＩ）の化合物である、請求項１記載の放射性安定化方法。
【化２】
2014508126.tif 000002
式中、Ｒ1*は放射性標識有機又は生物学的部分である。
【請求項３】
前記放射性標識アルデヒドが［18Ｆ］パラベンズアルデヒドである、請求項１記載の放射性安定化方法。
【請求項４】
前記アミノオキシ（ＩＩ）が次式（ＩＸ）の化合物である、請求項１乃至請求項３のいずれか１項記載の放射性安定化方法。
Ｒ２−Ｏ−ＮＨ2        （ＩＸ）
式中、Ｒ２は有機又は生物学的部分である。
【請求項５】
前記アミノオキシ（ＩＩ）が次式のものである、請求項４記載の放射性安定化方法。
【化３】
2014508126.tif 000003
【請求項６】
前記放射性標識イミン−オキシが次式（Ｘ）の化合物である、請求項１乃至請求項５のいずれか１項記載の放射性安定化方法。
【化４】
2014508126.tif 000004
【請求項７】
アルデヒド（Ｖ）を放射性標識アミノオキシ（ＶＩ）とアニリン（ＩＩＩ）の存在下で反応させてイミン−オキシ（ＶＩＩ）を形成する工程を含む放射性安定化方法。
【化５】
2014508126.tif 000005
【請求項８】
前記アルデヒドが次式（ＸＩ）の化合物である、請求項７記載の放射性安定化方法。
【化６】
2014508126.tif 000006
式中、Ｒ１は有機又は生物学的部分である。
【請求項９】
前記アルデヒドがベンズアルデヒドである、請求項８記載の放射性安定化方法。
【請求項１０】
前記放射性標識アミノオキシが次式（ＸＩＩ）の化合物である、請求項７乃至請求項９のいずれか１項記載の放射性安定化方法。
Ｒ2*−Ｏ−ＮＨ2        （ＸＩＩ）
式中、Ｒ2*は放射性標識有機又は生物学的部分である。
【請求項１１】
前記放射性標識イミン−オキシが次式（ＸＩＩＩ）の化合物である、請求項７乃至請求項１０のいずれか１項記載の放射性安定化方法。
【化７】
2014508126.tif 000007
【請求項１２】
次式の放射性標識アルデヒド（ＶＩＩＩ）をアミノオキシ（ＩＸ）とアニリン（ＩＩＩ）の存在下で反応させてイミン−オキシ（Ｘ）を形成する工程を含む放射性安定化方法。
【化８】
2014508126.tif 000008
式中、
Ｒ1*は少なくとも１つの放射性同位体又は放射性核種で標識された有機又は生物学的部分であり、
Ｒ2は有機又は生物学的部分である。
【請求項１３】
前記アルデヒド（Ｖ）が以下の式のアルデヒド（ＸＩ）であり、前記放射性標識アミノオキシ（ＶＩ）が以下の式の放射性標識アミノオキシ（ＸＩＩ）であり、前記イミン−オキシ（ＶＩＩ）が以下の式のイミン−オキシ（ＸＩＩＩ）である、請求項７記載の放射性安定化方法。
【化９】
2014508126.tif 000009
式中、
Ｒ2*は少なくとも１つの放射性同位体又は放射性核種で標識された有機又は生物学的部分であり、
Ｒ1は有機又は生物学的部分である。
【請求項１４】
前記アニリンが次式のもの、その塩若しくは誘導体又はこれらの混合物である、請求項１乃至請求項１３のいずれか１項記載の放射性安定化方法。
【化１０】
2014508126.tif 000010
【請求項１５】
前記アニリンをパラ−アミノ安息香酸又は放射性安定化剤と組み合わせて使用する、請求項１４記載の放射性安定化方法。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
栄養組成物と、前記栄養組成物の伸長粘度を増加することが可能な食品用ポリマーとを含み、
トルートン比が、少なくとも６、好ましくは約６〜約１５である、栄養製品。
【請求項２】
前記トルートン比が、約１０である、請求項１に記載の栄養製品。
【請求項３】
前記栄養製品の伸長粘度が、１００ｍＰａ・ｓを超える、請求項１又は２に記載の栄養製品。
【請求項４】
前記食品用ポリマーが、植物抽出ガム、植物由来粘液及びそれらの組み合わせからなる群から選択される、請求項１〜３のいずれか一項に記載の栄養製品。
【請求項５】
前記植物抽出ガムが、オクラガム、コンニャクマンナン、タラガム、ローカストビーンガム、グアーガム、コロハガム、タマリンドガム、カッシアガム、アカシアガム、ガティガム、ペクチン、セルロース系化合物、トラガカントガム、カラヤガム又はそれらの任意の組み合わせからなる群から選択され、好ましくは植物抽出ガムがオクラガムである、請求項４に記載の栄養製品。
【請求項６】
前記植物由来粘液が、サボテン粘液、オオバコ粘液、ゼニアオイ粘液、亜麻仁粘液、ウスベニタチアオイ粘液、ヘラオオバコ粘液、モウズイカ粘液、セトラリア粘液又はそれらの組み合わせからなる群から選択され、好ましくは植物由来粘液がサボテン粘液である、請求項４又は５に記載の栄養製品。
【請求項７】
前記食品用ポリマーが、オクラガム及び／若しくはサボテン粘液又はそれらの組み合わせから選択される、請求項１〜４のいずれか一項に記載の栄養製品。
【請求項８】
栄養組成物を用意するステップと、
食品用ポリマーを、前記栄養組成物に添加して、請求項１〜７のいずれか一項に記載の栄養製品を形成するステップと、
を含む、栄養製品の作製方法。
【請求項９】
栄養製品の粘着性を改善する方法であって、
栄養製品が消費される間に破壊されないように、栄養組成物の粘着性を改善することが可能な食品用ポリマーを栄養組成物に添加して、栄養製品を形成するステップを含む、方法。
【請求項１０】
食塊の安全な嚥下を促進するための方法であって、
栄養製品が消費される間に破壊されないように、栄養組成物の粘着性を改善することが可能な食品用ポリマーを栄養組成物に添加して、栄養製品を形成するステップと、
食塊の安全な嚥下を必要とする患者に、栄養製品を投与するステップと、
を含む、方法。
【請求項１１】
前記栄養製品が、請求項１〜７のいずれか一項に記載の栄養製品である、請求項９又は１０に記載の方法。
【請求項１２】
嚥下障害を有する患者を治療するための方法であって、
栄養組成物と食品用ポリマーとを含み、請求項１〜７のいずれか一項に記載の栄養製品を、嚥下障害の治療を必要とする患者に投与するステップ、
を含む、方法。
【請求項１３】
アカシアガム、αグルカン、アラビノガラクタン、βグルカン、デキストラン、フルクトオリゴ糖、フコシルラクトース、ガラクトオリゴ糖、ガラクトマンナン、ゲンチオオリゴ糖、グルコオリゴ糖、グアーガム、イヌリン、イソマルトオリゴ糖、ラクトネオテトラオース、ラクトスクロース、ラクツロース、レバン、マルトデキストリン、ミルクオリゴ糖、部分加水分解グアーガム、ペクチン由来オリゴ糖、難消化性デンプン、老化デンプン、シアロオリゴ糖、シアリルラクトース、ダイズオリゴ糖、糖アルコール、キシロオリゴ糖、それらの加水分解物及びそれらの組み合わせからなる群から選択されるプレバイオティクスをさらに含む、請求項１〜７のいずれか一項に記載の栄養製品。
【請求項１４】
アエロコッカス、アスペルギルス、バクテロイデス、ビフィドバクテリウム、カンジダ、クロストリジウム、デバロマイセス、エンテロコッカス、フソバクテリウム、ラクトバチルス、ラクトコッカス、ロイコノストック、メリッソコッカス、マイクロコッカス、ムコール、オエノコッカス、ペディオコッカス、ペニシリウム、ペプトストレプトコッカス、ピキア、プロピオニバクテリウム、シュードカテニュレイタム、リゾプス、サッカロマイセス、スタフィロコッカス、ストレプトコッカス、トルロプシス、ウェイセラ及びそれらの組み合わせを含むプロバイオティクスからなる群から選択されるプロバイオティクスをさらに含む、請求項１〜７及び１３のいずれか一項に記載の栄養製品。
【請求項１５】
アラニン、アルギニン、アスパラギン、アスパラギン酸塩、シトルリン、システイン、グルタミン酸塩、グルタミン、グリシン、ヒスチジン、ヒドロキシプロリン、ヒドロキシセリン、ヒドロキシチロシン、ヒドロキシリジン、イソロイシン、ロイシン、リジン、メチオニン、フェニルアラニン、プロリン、セリン、タウリン、スレオニン、トリプトファン、チロシン、バリン及びそれらの組み合わせからなる群から選択されるアミノ酸をさらに含む、請求項１〜７及び１３〜１４のいずれか一項に記載の栄養製品。
【請求項１６】
ドコサヘキサエン酸、エイコサペンタエン酸及びそれらの組み合わせからなる群から選択される脂肪酸をさらに含む、請求項１〜７及び１３〜１５のいずれか一項に記載の栄養製品。
【請求項１７】
前記脂肪酸が、魚油、オキアミ、ω−３脂肪酸を含有する植物源、亜麻仁、ウォールナッツ、藻類及びそれらの組み合わせからなる群から選択される供給源に由来する、請求項１６に記載の栄養製品。
【請求項１８】
フラバノイド、連結フェノール化合物、ポリフェノール化合物、テルペノイド、アルカロイド、硫黄含有化合物及びそれらの組み合わせからなる群から選択される植物栄養素をさらに含む、請求項１〜７及び１３〜１７のいずれか一項に記載の栄養製品。
【請求項１９】
前記植物栄養素が、カロテノイド、植物ステロール、ケルセチン、クルクミン、リモニン及びそれらの組み合わせからなる群から選択される、請求項１８に記載の栄養製品。
【請求項２０】
アスタキサンチン、カロテノイド、コエンザイムＱ１０（「ＣｏＱ１０」）、フラボノイド、グルタチオン  ゴジ（ウルフベリー）、ヘスペリジン、ラクトウルフベリー、リグナン、ルテイン、リコペン、ポリフェノール、セレン、ビタミンＡ、ビタミンＣ、ビタミンＥ、ゼアキサンチン及びそれらの組み合わせからなる群から選択される抗酸化剤をさらに含む、請求項１〜７及び１３〜１９のいずれか一項に記載の栄養製品。
【請求項２１】
医薬製剤、栄養製剤、栄養補助食品、機能性食品及び飲料製品、並びにそれらの組み合わせからなる群から選択される投与形態である、請求項１〜７及び１３〜２０のいずれか一項に記載の栄養製品。
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
ａ）オステオポンチンを含んでなり、２５℃でｐＨ３．６〜６．５の範囲のｐＨと、２５℃で４〜１０ｍＳ／ｃｍの範囲の導電率とを有し、５０〜２５０ｇ／Ｌミルク由来供給物の範囲のタンパク質総量を含んでなる、ミルク由来供給物を提供するステップと、
ｂ）前記ミルク由来供給物をアニオン交換媒体に接触させることを含む、前記ミルク由来供給物にアニオン交換クロマトグラフィーを実施するステップと、
ｃ）任意選択的に、前記アニオン交換媒体を洗浄するステップと、
ｄ）前記アニオン交換媒体に結合するタンパク質を回収し、それによって単離オステオポンチンを含んでなる組成物を得るステップと
を含んでなることを特徴とする、ミルク由来供給物からオステオポンチンを単離する方法。
【請求項２】
請求項１に記載の方法において、前記ミルク由来供給物が、５．０未満の等電点（ｐＩ）を有する追加的タンパク質をさらに含んでなることを特徴とする方法。
【請求項３】
請求項１〜２のいずれか一項に記載の方法において、前記ミルク由来供給物が、５０〜１５０ｇ／Ｌミルク由来供給物の範囲のタンパク質総量を含んでなることを特徴とする方法。
【請求項４】
請求項１〜３のいずれか一項に記載の方法において、前記ミルク由来供給物が、７５〜１２５ｇ／Ｌミルク由来供給物の範囲のタンパク質総量を含んでなることを特徴とする方法。
【請求項５】
請求項１〜４のいずれか一項に記載の方法において、前記ミルク由来供給物が、乳清由来供給物を含んでなることを特徴とする方法。
【請求項６】
請求項１〜５のいずれか一項に記載の方法において、前記ミルク由来供給物が、甘性乳清由来供給物を含んでなることを特徴とする方法。
【請求項７】
請求項１〜６のいずれか一項に記載の方法において、前記ミルク由来供給物が、前記ミルク由来供給物のタンパク質総量に対して、少なくとも１％（ｗ／ｗ）の量のＣＭＰを含んでなることを特徴とする方法。
【請求項８】
請求項１〜７のいずれか一項に記載の方法において、前記ミルク由来供給物が、前記ミルク由来供給物のタンパク質総量に対して、１〜４０％（ｗ／ｗ）の範囲の量のＣＭＰを含んでなることを特徴とする方法。
【請求項９】
請求項１〜８のいずれか一項に記載の方法において、前記ミルク由来供給物が、前記ミルク由来供給物のタンパク質総量に対して、少なくとも１％（ｗ／ｗ）の量のα−ラクトアルブミンを含んでなることを特徴とする方法。
【請求項１０】
請求項１〜９のいずれか一項に記載の方法において、前記ミルク由来供給物が、前記ミルク由来供給物のタンパク質総量に対して、少なくとも１％（ｗ／ｗ）の量のβ−ラクトグロブリンを含んでなることを特徴とする方法。
【請求項１１】
請求項１〜１０のいずれか一項に記載の方法において、前記ミルク由来供給物が、２５℃でｐＨ３．８〜５．５の範囲のｐＨを有することを特徴とする方法。
【請求項１２】
請求項１〜１１のいずれか一項に記載の方法において、前記ミルク由来供給物が、２５℃で導電率４．５〜９．０ｍＳ／ｃｍの範囲の導電率を有することを特徴とする方法。
【請求項１３】
請求項１〜１１のいずれか一項に記載の方法において、前記ミルク由来供給物が、２５℃で導電率４〜７ｍＳ／ｃｍの範囲の導電率を有することを特徴とする方法。
【請求項１４】
請求項１〜１１のいずれか一項に記載の方法において、前記ミルク由来供給物が、２５℃で導電率７〜１０ｍＳ／ｃｍの範囲の導電率を有することを特徴とする方法。
【請求項１５】
請求項１〜１４のいずれか一項に記載の方法において、回収された前記組成物が、濃縮、透析濾過、溶媒蒸発、噴霧乾燥、およびタンパク質結合カチオン置換からなる群から選択される、１つまたは複数の工程ステップをさらに受けることを特徴とする方法。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
爪の真菌感染治療用の薬学的組成物であってこの組成物は、５％を超える量で存在する抗真菌アリルアミン化合物と、有機酸またはそのエステルと、ジオールとおよび捕捉剤とから構成され、前記捕捉剤はアミノ酢酸であり、且つ本質的に水を含有しないことを特徴とする薬学的組成物。
【請求項２】
前記抗真菌アリルアミン化合物は、前記組成物に溶解している、請求項１に記載の組成物。
【請求項３】
前記有機酸は、乳酸である、請求項１または２に記載の組成物。
【請求項４】
前記有機酸またはそのエステルは、５％〜２５％の量で存在する、請求項１から３のいずれか１項に記載の組成物。
【請求項５】
前記ジオールは、プロパンジオール、ブタンジオール、ペンタンジオール、およびヘキサンジオールからなる群より選択される、請求項１から４のいずれか１項に記載の組成物。
【請求項６】
前記ジオールは、５０％を超える量で存在する、請求項１から５のいずれか１項に記載の組成物。
【請求項７】
前記アリルアミン抗真菌化合物は、テルビナフィンである、請求項１から６のいずれか１項に記載の組成物。
【請求項８】
前記アリルアミン抗真菌化合物は、５％〜１２％の量で存在する、請求項１から７のいずれか１項に記載の組成物。
【請求項９】
前記アリルアミン抗真菌化合物は、８％〜１１．５％の量で存在する、請求項８に記載の組成物。
【請求項１０】
前記アミノ酢酸は、エチレンジアミン四酢酸（ＥＤＴＡ）である、請求項１から９のいずれか１項に記載の組成物。
【請求項１１】
５％〜２５％の乳酸；プロパンジオール、ブタンジオール、ペンタンジオール、およびヘキサンジオールからなる群より選択される、５０％を超えるジオール；５％〜１２％のテルビナフィン；ならびに０．０３％〜１％のＥＤＴＡを含有する、請求項１または２に記載の組成物。
【請求項１２】
約６７．５％〜約８４％のプロパンジオール、８％〜２０％の乳酸、０．０３％〜０．１％のＥＤＴＡ、および８％〜１２％のテルビナフィンを含有する、請求項１または２に記載の組成物。
【請求項１３】
前記爪の真菌感染症治療の方法で使用するための請求項１から１２のいずれか１項に記載の薬学的組成物。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
イメージングプローブに連結したトロポエラスチン特異的結合剤を含むコンジュゲートを含む、プラークをイメージングするための医薬組成物であって、該コンジュゲートによるプラークのイメージングは患者がプラークの破裂または不安定性により起きる状態を発現するリスクを判定するためのものであり、トロポエラスチン特異的結合剤がアミノ酸配列YPDHVQYTHYまたはVVGSPSAQDEASPLSからの少なくとも４個のアミノ酸の配列を含むペプチドである、医薬組成物。
【請求項２】
ペプチドがアミノ酸配列QDEAを含む、請求項１に記載の医薬組成物。
【請求項３】
トロポエラスチン特異的結合ペプチドがアミノ酸配列VGVAPGに結合することができる、請求項１または２に記載の医薬組成物。
【請求項４】
ペプチドが、アミノ酸配列VVGSPSAQDEASPLSまたはYPDHVQYTHYを有する、請求項１〜３のいずれか１項に記載の医薬組成物。
【請求項５】
ペプチドが、アミノ酸配列VVGSPSAQDEASPLSまたはYPDHVQYTHYからなる、請求項１〜４のいずれか１項に記載の医薬組成物。
【請求項６】
トロポエラスチン特異的結合剤が、ヒト−エラスチンと比較してヒト−トロポエラスチンに対して特異的である、請求項１〜５のいずれか１項に記載の医薬組成物。
【請求項７】
トロポエラスチン特異的結合剤がインビボでトロポエラスチンを特異的に結合することができ、かつインビボでエラスチンに実質的に結合しない、請求項１〜６のいずれか１項に記載の医薬組成物。
【請求項８】
トロポエラスチン特異的結合剤が、インビボで、血管内の他の成分またはタンパク質と比較してトロポエラスチンに対して特異的である、請求項１〜７のいずれか１項に記載の医薬組成物。
【請求項９】
プラークが心血管プラークである、請求項１〜８のいずれか１項に記載の医薬組成物。
【請求項１０】
心血管プラークがアテローム硬化プラークである、請求項９に記載の医薬組成物。
【請求項１１】
状態が急性心筋梗塞（ＡＭＩ）、発作または大動脈瘤である、請求項９または１０に記載の医薬組成物。
【請求項１２】
コンジュゲートによるプラークイメージングを用いて、患者のための処置コースを決定し、患者を特定の療法のための患者クラスに配属し、プラークの負荷を評価し、疾患の進行をモニターし、および／またはある療法に対する患者の応答を判定する、請求項１〜１１のいずれか１項に記載の医薬組成物。
【請求項１３】
さらに、トロポエラスチン特異的結合剤が、プラークにより起きる状態の動物モデルにおいてエラスチンと比較してトロポエラスチンに対して特異的である、請求項７〜１２のいずれか１項に記載の医薬組成物。
【請求項１４】
イメージングプローブが、ＭＲＩ、ＳＰＥＣＴまたはＰＥＴイメージングのためのものである、請求項１〜１３のいずれか１項に記載の医薬組成物。
【請求項１５】
イメージングプローブが、下記のもの：
（ａ）ガドリニウムを錯化することができる基に連結しているＭＲＩ剤；または
（ｂ）ガドリニウムに基づくイメージングのためのＤＯＴＡ−リシン；または
（ｃ）ガドリニウムに基づくイメージングのためのＤＯＴＡ−リシン、もしくは酸化鉄；または
（ｄ）フッ素、テクネチウム、レニウム、銅、コバルト、ガリウム、イットリウム、ルテチウム、インジウム、ジルコニウム、カーボン、ヨウ素もしくはアスタチン同位体；または
（ｅ）蛍光特性もしくは発光特性をもつ光学標識；または
（ｆ）ＭＲＩ造影剤として使用するための常磁性プローブ
のうち１以上を含む、請求項１〜１４のいずれか１項に記載の医薬組成物。
【請求項１６】
コンジュゲートが、
(DOTA-Gd)-VVGSPSAQDEASPLS、
(DOTA-Gd)-VVGSPSAQDEASPLS-K(DOTA-Gd)、
K(DOTA-Gd)-VVGSPSAQDEASPLS-K(DOTA-Gd)、
K(DOTA-Gd)K(DOTA-Gd)-VVGSPSAQDEASPLS、
K(DOTA-Gd)-VVGSPSAQDEASPLS、
K(DOTA-Gd)-YPDHVQYTHY-K(DOTA-Gd)、
(DOTA-Gd)-YPDHVQYTHY-K(DOTA-Gd)、
(DOTA-Gd)-YPDHVQYTHY、
K(DOTA-Gd)-YPDHVQYTHYまたは
K(DOTA-Gd)K(DOTA-Gd)-YPDHVQYTHY
のうちの１つである、請求項１〜１５のいずれか１項に記載の医薬組成物。
【請求項１７】
イメージングプローブに連結したトロポエラスチン特異的結合剤を含むコンジュゲートを用いるプラークイメージング方法に使用するための請求項１〜１６のいずれか１項に記載の医薬組成物であって、該コンジュゲートによるプラークイメージングは患者がプラークの破裂または不安定性により起きる状態を発現するリスクを判定するためのものであり、該方法は下記を含むものである、医薬組成物：
（ａ）患者に、コンジュゲートを含む組成物を投与し；
（ｂ）コンジュゲートを患者の血管系のプラーク中に存在するいずれかのトロポエラスチンに結合させ；
（ｃ）イメージングプローブを検出してプラークの存在を判定し；そして
（ｄ）心血管プラークをコンジュゲートでイメージングすることにより、患者がプラークの破裂または不安定性により起きる状態を発現するリスクを判定する。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2014508170.tif 000001
またはその製薬上許容される塩、
〔式中、
Ｒ１は、Ｃ１−４アルキル、シクロプロピルメチル、シクロブチルメチルおよび［１−（トリフルオロメチル）シクロプロピル］メチルからなる群から選択され、その各々は、ヒドロキシルおよびＦからなる群から独立して選択される、価数によって許容される１〜４個の置換基で置換されていてもよく；
Ｒ２は、水素またはメチルであり；
Ｒ２が水素である場合、
Ｒ３は、水素、ＦまたはＣｌから選択され；
Ｒ４は、水素、ＦまたはＣｌから選択され；
Ｒ５は、水素であり；
Ｒ６は、水素またはＦから選択され；そして
Ｒ７は、水素、ＦまたはＣｌから選択され；
Ｒ３、Ｒ４、Ｒ６およびＲ７のうちの少なくとも２つはＦまたはＣｌでなければならず、但し、Ｒ３がＦであれば、その場合Ｒ４、Ｒ６およびＲ７は全て水素であってよく；そして、Ｒ４がＣｌである場合、Ｒ７はＣｌではあり得ず；
Ｒ２がメチルである場合、
Ｒ３は、水素、メチル、Ｆ、Ｃｌ、またはＢｒから選択され；
Ｒ４は、水素、メチル、ＦまたはＣｌから選択され；
Ｒ５は、水素またはＦから選択され；
Ｒ６は、水素またはＦから選択され；そして
Ｒ７は、水素、メチル、ＦまたはＣｌから選択され；
但し、Ｒ５がＦである場合、Ｒ３、Ｒ４、Ｒ６およびＲ７のうちの少なくとも３つはＦでなければならず；そして、Ｒ４がメチルまたはＣｌである場合、Ｒ７はメチルまたはＣｌではあり得ず；そして
Ｒ８は、水素、Ｃ１−４アルキル、シクロプロピルメチル、およびシクロブチルメチルからなる群から選択され、その各々は、価数によって許容される１〜３個のフルオロ置換基で置換されていてもよい〕。
【請求項２】
Ｒ１が、ヒドロキシルおよびＦからなる群から独立して選択される、価数によって許容される１〜４個の置換基で置換されていてもよいＣ１−４アルキルである、請求項１に記載の化合物またはその製薬上許容される塩。
【請求項３】
Ｒ１が、イソプロピル、２，２，２−トリフルオロエチルおよび２−メチルプロピルから選択される、請求項２に記載の化合物またはその製薬上許容される塩。
【請求項４】
Ｒ１が、２，２，２−トリフルオロエチルである、請求項３に記載の化合物またはその製薬上許容される塩。
【請求項５】
Ｒ２が水素である、請求項１に記載の化合物またはその製薬上許容される塩。
【請求項６】
Ｒ３、Ｒ４、Ｒ６およびＲ７のうちの少なくとも２つがＦまたはＣｌであり、但し、Ｒ４がＣｌである場合は、Ｒ７は、Ｃｌではあり得ない、請求項５に記載の化合物またはその製薬上許容される塩。
【請求項７】
Ｒ３がＦであり、Ｒ４、Ｒ６およびＲ７が水素である、請求項５に記載の化合物またはその製薬上許容される塩。
【請求項８】
Ｒ２がメチルである、請求項１に記載の化合物またはその製薬上許容される塩。
【請求項９】
Ｒ５がＦであり、Ｒ３、Ｒ４、Ｒ６およびＲ７のうちの少なくとも３つがＦである、請求項８に記載の化合物またはその製薬上許容される塩。
【請求項１０】
Ｒ５が水素であり、そしてＲ４がメチルまたはＣｌである場合には、Ｒ７はメチルまたはＣｌではあり得ない、請求項８に記載の化合物またはその製薬上許容される塩。
【請求項１１】
Ｒ３が、水素、メチルまたはＦから選択され；Ｒ４が、水素、メチルまたはＦから選択され；Ｒ５が水素であり；Ｒ６が、水素またはＦから選択され；そして、Ｒ７が、水素、メチルまたはＦから選択され；但し、Ｒ４がメチルである場合には、Ｒ７はメチルではあり得ない、請求項８に記載の化合物またはその製薬上許容される塩。
【請求項１２】
Ｒ３が水素またはＦであり、Ｒ４が水素またはＦであり、Ｒ６が水素またはＦであり、そして、Ｒ７が水素またはＦである、請求項１１に記載の化合物またはその製薬上許容される塩。
【請求項１３】
Ｒ８がＣ１−４アルキルである、請求項１または８に記載の化合物またはその製薬上許容される塩。
【請求項１４】
Ｒ８がメチルである、請求項１３に記載の化合物またはその製薬上許容される塩。
【請求項１５】
以下、
【化２】
2014508170.tif 000002
【表１】
2014508170.tif 000003
から選択される、請求項１に記載の化合物またはその製薬上許容される塩。
【請求項１６】
不活性担体、および請求項１に記載の化合物またはその製薬上許容される塩を含む医薬組成物。
【請求項１７】
治療上有効な量の請求項１に記載の化合物またはその製薬上許容される塩を含む、頭痛の治療用の医薬組成物。
【請求項１８】
頭痛が片頭痛である、請求項１７に記載の医薬組成物。
【請求項１９】
頭痛の治療用の医薬の製造のための、請求項１〜１５のいずれか一項に記載の化合物またはその製薬上許容される塩、および製薬上許容される担体の使用。
【請求項２０】
頭痛が片頭痛である、請求項１９に記載の使用。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
細胞内損傷または細胞内感染を治療する方法であって、それを必要とする対象に配列ＩＤ番号１、配列ＩＤ番号２、配列ＩＤ番号３、配列ＩＤ番号４、配列ＩＤ番号５、配列ＩＤ番号６、配列ＩＤ番号７、または配列ＩＤ番号８から選択されるＰＩＦペプチドの治療的有効量を投与する工程を有する、方法。
【請求項２】
請求項１記載の方法において、さらに、カリウムチャネル阻害剤を投与する工程を有する、方法。
【請求項３】
請求項１記載の方法において、前記細胞内損傷または細胞内感染は、リステリア・モノサイトゲネス感染、マラリア、ライム病、心疾患、十二指腸潰瘍、アテローム性動脈硬化、または結核から選択される疾患によって生じるものである、方法。
【請求項４】
請求項１記載の方法において、前記細胞内感染は、リステリア・モノサイトゲネス、ヒト型結核菌、ヘリコバクター・ピロリ、ボレリア・ブルグドフェリ（Ｂｏｒｒｅｌｉａ  ｂｕｒｇｄｏｒｆｅｒｉ  ｓｅｎｓｕ  ｓｔｒｉｃｔｏ）、ボレリア・アフゼリ、およびボレリア・ガリニから選択されるものである、方法。
【請求項５】
結核を治療し、または結核菌の播種を減少させる方法であって、それを必要とする対象に配列ＩＤ番号１、配列ＩＤ番号２、配列ＩＤ番号３、配列ＩＤ番号４、配列ＩＤ番号５、配列ＩＤ番号６、配列ＩＤ番号７、または配列ＩＤ番号８から選択されるＰＩＦペプチドの治療的有効量を投与する工程を有する、方法。
【請求項６】
請求項５記載の方法において、さらに、カリウムチャネル阻害剤を投与する工程を有する、方法。
【請求項７】
アテローム性動脈硬化を治療し、または脂質を減少させる方法であって、それを必要とする対象に配列ＩＤ番号１、配列ＩＤ番号２、配列ＩＤ番号３、配列ＩＤ番号４、配列ＩＤ番号５、配列ＩＤ番号６、配列ＩＤ番号７、または配列ＩＤ番号８から選択されるＰＩＦペプチドの治療的有効量を投与する工程を有する、方法。
【請求項８】
請求項７記載の方法において、さらに、カリウムチャネル阻害剤を投与する工程を有する、方法。
【請求項９】
請求項７記載の方法において、前記治療はプラ−クを減少させる工程、単球タンパク質を減少させる工程、脂質を減少させる工程、サイトカインを減少させる工程、およびそれらの組み合わせを有するものである、方法。
【請求項１０】
請求項９記載の方法において、前記減少させる工程は大動脈弓、大動脈根、およびそれらの組み合わせにおいて達成されるものである、方法。
【請求項１１】
請求項７記載の方法において、循環脂質のレベルは実質的に影響しないものである、方法。
【請求項１２】
腹膜炎を治療する方法であって、それを必要とする対象に配列ＩＤ番号１、配列ＩＤ番号２、配列ＩＤ番号３、配列ＩＤ番号４、配列ＩＤ番号５、配列ＩＤ番号６、配列ＩＤ番号７、または配列ＩＤ番号８から選択されるＰＩＦペプチドの治療的有効量を投与する工程を有する、方法。
【請求項１３】
請求項１２記載の方法において、さらに、カリウムチャネル阻害剤を投与する工程を有する、方法。
【手続補正２】
【補正対象書類名】明細書
【補正対象項目名】０００１
【補正方法】変更
【補正の内容】
【０００１】
関連出願
本出願は、３５  Ｕ．Ｓ．Ｃ  §１１９のもとに、２０１１年３月２日に提出された米国仮特許出願第６１／４４８，４４６、「細胞内損傷の治療のための組成物および方法」に対して優先権を主張するものである。該開示は参照によって本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７，７２３，２９０号明細書
（非特許文献）
（非特許文献１）  ＶＡＬＶＥＲＤＥ  ｅｔ  ａｌ．，Ｐｏｔａｓｓｉｕｍ  Ｃｈａｎｎｅｌ−ｂｌｏｃｋｅｒｓ  ａｓ  Ｔｈｅｒａｐｅｕｔｉｃ  Ａｇｅｎｔｓ  ｔｏ  Ｉｎｔｅｒｆｅｒｅ  ｗｉｔｈ  Ｂｏｎｅ  Ｒｅｓｏｒｐｔｉｏｎ  ｏｆ  Ｐｅｒｉｏｄｏｎｔａｌ  Ｄｉｓｅａｓｅ．Ｊ．Ｄｅｎｔａｌ  Ｒｅｓｅａｒｃｈ，Ｊｕｎｅ  ２００５，ｖｏｌ．８４，ｎｏ  ６，ｐｐ  ４８８−４９９；ｐｇ  ４９４，ｃｏｌ  ２，ｐａｒａ  ４
（非特許文献２）  ＮＡＫＡＭＵＲＡ  ｅｔ  ａｌ．，Ｄｅｌａｙｅｄ  ａｎｄ  ａｃｕｔｅ  ｅｆｆｅｃｔｓ  ｏｆ  ｉｎｔｅｒｆｅｒｏｎ−ｇａｍｍａ  ｏｎ  ａｃｔｉｖｉｔｙ  ｏｆ  ａｎ  ｉｎｗａｒｄｌｙ  ｒｅｃｔｉｆｙｉｎｇ  Ｋ＋  ｃｈａｎｎｅｌ  ｉｎ  ｃｕｌｔｕｒｅｄ  ｈｕｍａｎ  ｐｒｏｘｉｍａｌ  ｔｕｂｕｌｅ  ｃｅｌｌｓ．Ａｍ  Ｊ  Ｐｈｙｓｉｏｌ  Ｒｅｎａｌ  Ｐｈｙｓｉｏｌ，Ｊａｎｕａｒｙ  ２００９，ｖｏｌ  ２９６，ｎｏ  １，ｐｐ  Ｆ４６−Ｆ５３；Ｐ  Ｆ５２，ｃｏｌ  １，ｐａｒａ  １．ｃｏｌ  ２，ｐａｒａ  ２
（非特許文献３）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｎｏｖｅｍｂｅｒ  ５，２０１２  ｆｏｒ  ＰＣＴ／ＵＳ２０１２／０２７４８０